(57)【要約】【課題】容器に装着することで、容器に熱い飲料等が充填されていても把持しやすくすることのできる蓋を提供する。【解決手段】本発明の蓋１は、容器の開口部に装着する蓋であって、外周に容器の開口部の縁と嵌合する嵌合溝２を有する天板部３と、容器の少なくとも開口部側の側面を覆うように、帯状の部材を環状に形成した把持部４と、嵌合溝２と把持部４とを接続する接続部５とを備えることを特徴とする。【選択図】図１
2008189345.tif 000002
【特許請求の範囲】
【請求項１】
容器の開口部に装着する蓋であって、
外周に前記容器の開口部の縁と嵌合する嵌合部を有する天板部と、
前記容器の少なくとも開口部側の側面を覆うように、帯状の部材を環状に形成した把持部と、
前記嵌合部と前記把持部とを接続する接続部と、
を備えることを特徴とする蓋。
【請求項２】
前記天板部は、前記嵌合部の下端の少なくとも一部が延出して設けられた係止部を有し、
前記把持部は、前記係止部と係合することにより前記天板部と前記把持部とを係脱可能に係止する被係止部を有することを特徴とする請求項１に記載の蓋。
【請求項３】
前記把持部は、内周側に突出して設けられ、前記容器の側面と当接する当接部を有することを特徴とする請求項１又は２に記載の蓋。
【請求項４】
前記把持部には、全周にわたって複数の凹凸部が設けられていることを特徴とする請求項１から３のいずれか１項に記載の蓋。
【請求項５】
前記天板部には飲み口が設けられていることを特徴とする請求項１から４のいずれか１項に記載の蓋。
【発明の詳細な説明】
【技術分野】
【０００１】
本発明は、飲料等の容器の開口部に装着する蓋に関する。
【背景技術】
【０００２】
従来、紙コップ等の容器に熱い飲料や食品等を入れて飲食用に供する際には、そのままでは熱くて把持することが困難であるため、容器の表面に発泡層を設けて容器の側面に断熱性を付与することによって、熱い飲料等が入っていても把持しやすく構成されたものが提案されている（例えば、特許文献１参照）。
また、カップ麺やスープ、味噌汁などの、熱湯を注いで調理して食する食品用の容器として、カップ状容器を二重構造として断熱空間を持たせたものが広く採用されている（例えば、特許文献２参照。）。
【特許文献１】特許第３０１４６２９号公報
【特許文献２】実用新案登録第２５７１７９７号公報
【発明の開示】
【発明が解決しようとする課題】
【０００３】
しかしながら、上記特許文献１に開示された技術では、断熱効果が充分ではない。特に、８０℃以上の飲料等が入っている場合、特許文献１の容器でも熱くて把持することは困難である。このような場合、ある程度飲料等の温度が下がるまで、飲食ができず、飲料等の風味を充分楽しめない場合がある。
また、上記特許文献２に記載された容器は、比較的高い断熱性を有するものの、構造が複雑で高価であるという欠点がある。
【０００４】
本発明は上記事情に鑑みて成されたものであり、装着することで、容器に熱い飲料等が充填されていても把持しやすくすることのできる蓋を提供することを目的とする。
【課題を解決するための手段】
【０００５】
本発明の蓋は、容器の開口部に装着する蓋であって、外周に前記容器の開口部の縁と嵌合する嵌合部を有する天板部と、前記容器の少なくとも開口部側の側面を覆うように、帯状の部材を環状に形成した把持部と、前記嵌合部と前記把持部とを接続する接続部とを備えることを特徴とする。
【０００６】
本発明の蓋を容器に装着した際には、容器の開口部側の側面が把持部によって覆われ、把持部の上から容器を把持することができるため、容器に熱い飲料等が充填されていても、その熱が把持する手に伝導しにくい。
【０００７】
前記天板部は、前記嵌合部の下端の少なくとも一部が延出して設けられた係止部を有し、前記把持部は、前記係止部と係合することにより前記天板部と前記把持部とを係脱可能に係止する被係止部を有するものでもよい。
【０００８】
前記把持部は、内周側に突出して設けられ、前記容器の側面と当接する当接部を有するものでもよい。また、前記把持部には全周にわたって複数の凹凸部が設けられていてもよい。さらに、前記天板部には飲み口が設けられていてもよい。
【発明の効果】
【０００９】
本発明の蓋によれば、容器に充填された飲料等の熱が把持部を把持する手に伝導しにくいので、熱い飲料等が容器に充填されていても、容器に装着することによって把持しやすくすることができる。
【発明を実施するための最良の形態】
【００１０】
以下、本発明の第１実施形態の蓋について、図１から図４を参照して説明する。
図１は本実施形態の蓋１の平面図である。本実施形態の蓋１は、紙コップ等の容器の開口部に装着する蓋であって、外周に容器の開口部の縁と嵌合する嵌合溝（嵌合部）２を有する天板部３と、容器の少なくとも開口部側の側面を覆うように環状に形成された把持部４と、天板部３と把持部４とを接続する接続部５とを備えて形成されている。
【００１１】
蓋１はポリスチレン、ポリプロピレン、ポリ塩化ビニル等の熱可塑性樹脂又はこれらの樹脂にフィラーを追加したものを、真空成形、圧空成形、真空圧空成形、あるいは射出成形等の公知の成形方法で加工することにより得ることができる。
【００１２】
天板部３は、天板上面６と、天板上面６の外周から下方に延出する天板側面７とを有して形成されている。天板上面６は容器の開口部を覆い、周縁部８に比して中央部９が一段低く形成されている。中央部９より相対的に突出した周縁部８の上面の一部は切り取られており、飲み口１０が設けられている。天板側面７の下端には嵌合溝２が設けられている。
【００１３】
図２に断面で示すように、嵌合溝２は嵌合突起１１と嵌合側壁１２とから形成される。嵌合突起１１は、天板側面７の下端から下方にわずかに延出した側面が上方に折り返されて、平面視環状に形成される。嵌合側壁１２は、嵌合突起１１の端部が下方に折り返されて形成されている。また、嵌合側壁１２の外側面には、断続的に係合凸部１３が内側に突出して設けられている。嵌合溝２の直径は、装着対象となる容器の開口部の直径と略同一に設定される。
【００１４】
接続部５は、天板部３において飲み口１０と対称の位置にある嵌合側壁１２から、所定の幅の帯状に略水平に延出している。把持部４は、図２に示すように天板上面６を上にした状態において、接続部５の外側の端部から略上方に延出して設けられており、帯状の部材が平面視において環状となるように形成されている。把持部４の上下方向の幅は、人間の指の横幅２本から３本分程度、すなわち把持部の上から把持しやすい寸法に設定するのが好ましい。
【００１５】
把持部４は、図２に示すように、側面視において、上方に向かって環状の径が小さくなるテーパ状に延出している。テーパ角は一般的な容器と同等となるように設定されるのが好ましい。また、把持部４の側面には凹凸部１４が内側に凸となるように、一定の間隔をおいて全周にわたって複数設けられている。把持部４の接続部５側における直径は装着対象となる容器の開口部の直径より小さく設定されるのが好ましい。
【００１６】
上記のように構成された蓋１の使用時の動作について、以下に説明する。
図３に示すように、飲料等を充填した紙コップ（容器）１５を、接続部５側から把持部４に挿入する。把持部４の接続部５側における直径は、上述のように紙コップ１５の開口部の直径より小さいので、紙コップ１５を挿入すると、開口部の下方の所定の位置で、紙コップ１５の水平面における直径と把持部４の直径とがほぼ同一となり、紙コップ１５がそれ以上把持部４内を進まなくなる。
【００１７】
この状態において、図３に示すように、紙コップ１５の開口部の縁に形成されたリムに対して、接続部５を撓ませて天板部３を回転させ、嵌合溝２が嵌合するように上から天板部３を押し付ける。すると図４に示すように、リム１６は嵌合側壁１２の側面に設けられた係合凸部１３を弾性変形させて乗り越え、さらに嵌合突起１１及び嵌合側壁１２を弾性変形させて、嵌合突起１１と嵌合側壁１２との間に嵌合する。このとき、係合凸部１３の上面にリム１６の下面が支持されて、蓋１が紙コップ１５に確実に装着される。
【００１８】
そして、把持部４の上から紙コップ１５を把持した状態で、天板上面６に設けられた飲み口１０から紙コップ１５の内容物を摂取することができる。
【００１９】
本発明の蓋１によれば、紙コップ１５に装着することによって、紙コップ１５の開口部付近の側面が把持部４によって全周にわたって覆われる。把持部４の上から紙コップ１５を把持することで、把持すると手と紙コップ１５の側面との間に把持部４が介在するため、紙コップ１５の内容物の熱や冷気等が把持する手に伝導しにくくなり、把持しやすくすることができる。
【００２０】
また、天板部３と把持部４とが接続部５で一体となっているので、天板部３をリム１６と嵌合させた後は把持部４が落下することはなく、把持しやすい形状を維持することができる。
さらに、把持部４の直径が紙コップ１５の開口部の直径より小さく形成されているので、把持中に万一嵌合溝２とリム１６との嵌合が外れても、把持部４をしっかり把持する限り把持部４をすり抜けて紙コップ１５が落下することはなく、安全に把持し続けることができる。
【００２１】
加えて、把持部４には凹凸部１４が全周にわたって設けられているので、把持した際に把持部４と紙コップ１５の側面との接触面積が小さくなり、断熱効果を高めることができる。
また、紙コップ１５の開口部を覆う天板部３が、紙コップ１５から内容物がこぼれるのを防ぐため、蓋１を紙コップ１５に装着することで、開口部を覆いつつ部品点数を増やさずに把持しやすくすることができる。
【００２２】
さらに、嵌合溝２の嵌合側壁１２の側面に係合凸部１３が設けられているため、蓋１が確実に紙コップ１５に装着される。
また、天板上面６に飲み口１０が設けられているため、把持部４の上から紙コップ１５を把持したままで、内容物を摂取することができる。
【００２３】
加えて、天板部３、接続部５、及び把持部４が一体となってほぼ平面に形成されているので、真空成形等で容易に作製することができる。また、積み重ねても場所をとらないので、輸送や保管に適している。
【００２４】
そして、容器に発泡層を形成しなくても、蓋１を装着するだけで、容器に熱い飲料等が充填されていても把持しやすくできるので、低コストで把持しやすい容器を構成することができる。
【００２５】
続いて、本発明の第２実施形態について図５から図８を参照して説明する。第２実施形態と上述の第１実施形態との異なるところは、天板部が係止部を有している点、把持部が被係止部を有する点、及び凹凸部の形状の点である。
なお、上述の第１実施形態と同様の構成要素には同一の符号を付し、重複する説明を省略する。
【００２６】
図５に示すように、本実施形態の蓋２１においては、天板部２２が、嵌合溝２３の嵌合側壁２４の下端が延出して設けられた係止部２５を有しており、把持部２６には一方の端部が外周側に延出して被係止部２７が設けられている。
【００２７】
図６に示すように、係止部２５は、嵌合側壁２４が略下方に延出した後、上方に折り返されて形成された係止突起２８と、係合突起２８の上端が下方に折り返されて形成された係合側壁２９とを有して形成されている。係止部２５の側面には、係合凸部１３とほぼ同じ形状の係合凸部３０が、周方向に所定の間隔で設けられている。
【００２８】
被係止部２７は、図６に示すように天板上面６を上にした状態において、接続部５と一体となった部位を除く把持部２６の下端から所定の長さだけ略水平に延出して設けられている。被係止部２７の外径は、係止部２５と係合可能にするために、係合側壁２９の内径とほぼ同一か、わずかに小さく設定される。把持部２６の側面には、凹凸部３１が外側に凸となるように全周にわたって一定の間隔で設けられている。
【００２９】
上記のように構成された蓋２１の使用時の動作について、以下に説明する。
図７に示すように、把持部２６に紙コップ１５を挿入してから天板部２２をリム１６に押し付ける点は上述の第１実施形態と同様であるが、リム１６が嵌合溝２３に嵌合するときに、把持部２６の被係止部２７が、係止部２５の係合凸部３０を乗り越えて係合突起２８と係合凸部３０との間に係止され、図８に示すように、天板部２２と把持部２６とが連結される。
【００３０】
本実施形態の蓋２１によれば、紙コップ１５に装着した際に、係止部２５と被係止部２７とを係合させることによって天板部２２を把持部２６に係止できるので、把持部２６が接続部５及び係止部２５によって確実に支持され、落下することがない。従って、蓋２１を把持しやすい形状に確実に維持することができる。
【００３１】
また、天板部２２と把持部２６とが接続部５だけでなく、係止部２５と被係止部２７とによっても連結される。従って、把持部２６を把持することによって紙コップ１５の開口部が変形し、嵌合溝２３とリム１６との嵌合が弱まったような場合でも、天板部２２が不用意に開くような事態の発生を抑制することができる。
【００３２】
また、把持部２６の凹凸部３１が外側に凸となって設けられているので、把持部２６と紙コップ１５の側面との間に部分的に空間が形成される。したがって、把持部２６がより高い断熱効果を有し、より把持しやすく蓋を構成することができる。
【００３３】
本実施形態においては、係止部２５及び被係止部２７が、嵌合側壁２４及び把持部２６のうち接続部５と一体となった部分を除くほぼ全周にわたって設けられている例を説明したが、これには限定されず、互いに係止可能であれば嵌合側壁２４及び把持部２６の外周の一部にのみ設けられていてもよいし、間隔をおいて複数設けられてもよい。
【００３４】
また、係止部２５及び被係止部２７の配置も本実施形態の例に限定されず、例えば嵌合側壁２４が被係止部２７を有し、把持部２６が係止部２５を有するように構成してもよい。さらに、係止部２５及び被係止部２７の形状も本実施形態の形状に限定されず、互いに係止可能であれば、先端を折り曲げた舌片と、当該舌片が挿入可能に形成されたスリットとの組み合わせや、対となる係合突起等の他の公知のあらゆる形状を採用することができる。
【００３５】
続いて、本発明の第３実施形態について図９から図１１を参照して説明する。第３実施形態と上述の第１実施形態の異なる点は、把持部が当接部を有する点である。
なお、上述の第１実施形態と同様の構成要素には同一の符号を付し、重複する説明を省略する。
【００３６】
図９は本実施形態の蓋４１の平面図である。図９に示すように、本実施形態の蓋４１の把持部４２は、図１０に二点鎖線で示す状態において、接続部５から略上方に延出して設けられた外周部４３と、外周部４３の上端を下方に折り返して延出させて設けられた内周部４４と、内周部４４の下端から略水平に延出させて設けられた水平部（当接部）４５とを有して構成されている。水平部４５の内径は、内周部４４上端の内径より小さくなるように形成されるのが好ましい。
【００３７】
また、外周部４３は、図１０に示すように、接続部５側の端部において水平面となすテーパ角θ１が、一般的な容器の側面が開口部側において水平面となすテーパ角θ２より大きくなるように形成されている。
【００３８】
上記のように構成された蓋４１の使用時の動作について説明する。
図１０に示すように、紙コップ１５を接続部５側から把持部４２に挿入すると、紙コップ１５は、水平面の直径が水平部４５の内径とほぼ同一となる箇所で係止する。この位置で、第1実施形態と同様に接続部５を撓ませて天板部３を反転させ、紙コップ１５の開口部に装着する。
【００３９】
本実施形態の蓋４１によれば、水平部４５によって蓋４１が紙コップ１５に係止されるので、把持しやすい位置に把持部４２を固定させることができる。また、上述したように、把持部４２の外側面、すなわち外周部４３のテーパ角θ１が紙コップ１５のテーパ角θ２より大きく形成されているので、把持部４２の接続部５側の端部から紙コップ１５を挿入して蓋４１を装着した際に、紙コップ１５の側面と外周部４３との間にテーパ角の違いによる空間が形成される。従って、より断熱効果を高め、把持しやすく構成することができる。
【００４０】
本実施形態においては、内周部４４が短く形成され、水平部４５が図１０の二点鎖線で示す状態において外周部４３の上端付近に設けられている例を説明したが、装着対象の容器の側壁が垂直の形状である場合は、これに代えて、図１１に示す変形例の蓋５１のように、外周部５３を天板部３に対して略垂直に形成し、かつ内周部５４を接続部５付近まで延長させ、水平部を有しない構成としてもよい。このようにすると、把持部５６が外周部４３と内周部５４との二層構造となるので、より断熱効果を高め、把持しやすくすることができる。
【００４１】
以上、本発明の実施形態について説明したが、本発明の技術範囲は上記の各実施形態に限定されるものではなく、本発明の趣旨を逸脱しない範囲において種々の変更を加えることが可能である。
例えば上述の各実施形態においては、内側に凸の形状あるいは外側に凸の直線状の凹凸部が設けられた例を説明したが、凹凸部の形状はこれらには限定されず、他の任意の形状を採用することができる。これによって、容器に装着された際のデザイン性を高めることができる。
【００４２】
また、接続部の長さも本実施形態に限定されず、任意の長さに設定することができる。従って、接続部の長さと把持部の直径を調整することによって、把持部が覆う紙コップの側面の高さを自由に調整することが可能である。
【００４３】
また、上述の各実施形態においては、紙コップに装着する例を説明したが、装着の対象となる容器はこれに限定されず、嵌合溝に開口部の縁が嵌合するものであれば、発泡スチロールや他の樹脂、金属等あらゆる材質の容器に装着して断熱性を向上させて把持しやすくすることが可能である。
【００４４】
また、対象となる容器は開口部が円形のものにも限定されず、対象容器の開口部と嵌合するように本発明の蓋を設計及び成形することで、あらゆる形状の開口部に装着可能に構成することができる。
【００４５】
さらに、上述の各実施形態においては、天板上面の一部が切り取られて飲み口が形成されている例を説明したが、これに代えて、スリットを設けるなどして、天板上面が大きく開き、容器の開口部とほぼ同じ大きさに開口するように蓋を形成してもよい。このようにすれば、固形の具材などを含む食品等が容器に充填されている場合でも、把持部を把持しつつ摂取することが可能である。
【図面の簡単な説明】
【００４６】
【図１】本発明の第１実施形態の蓋を示す平面図である。
【図２】同実施形態の断面図である。
【図３】同実施形態の蓋を紙コップに装着した状態を示す斜視図である。
【図４】同実施形態の蓋を紙コップに装着した状態を示す断面図である。
【図５】本発明の第２実施形態の蓋を示す平面図である。
【図６】同実施形態の断面図である。
【図７】同実施形態の蓋を紙コップに装着した状態を示す断面図である。
【図８】同実施形態の蓋を紙コップに装着した状態を示す斜視図である。
【図９】本発明の第３実施形態の蓋を示す平面図である。
【図１０】同実施形態の蓋を紙コップに装着した状態を示す断面図である。
【図１１】同実施形態の変形例の蓋を紙コップに装着した状態を示す断面図である。
【符号の説明】
【００４７】
１、２１、４１、５１…蓋、２、２３…嵌合溝（嵌合部）、３、２２…天板部、４、２６、４２、５６…把持部、５…接続部、１０…飲み口、１４、３１…凹凸部、１５…紙コップ（容器）、２５…係止部、２７…被係止部、４５、５５…水平部（当接部）
【図１】
2008189345.tif 000003
【図２】
2008189345.tif 000004
【図３】
2008189345.tif 000005
【図４】
2008189345.tif 000006
【図５】
2008189345.tif 000007
【図６】
2008189345.tif 000008
【図７】
2008189345.tif 000009
【図８】
2008189345.tif 000010
【図９】
2008189345.tif 000011
【図１０】
2008189345.tif 000012
【図１１】
2008189345.tif 000013